(57)【要約】【課題】励起光源からの励起光が波長変換部材上に形成する励起光照射領域が、波長変換部材上を移動可能とすることで、波長変換部材の局所的な発熱を抑制した光源装置を提供する。【解決手段】励起光を出射する励起光源と、励起光源と光学的に接続され、励起光を導光する導光部材と、導光部材から射出された励起光を受光し、それとは異なる波長領域の光に変換する波長変換部材と、を有する光源装置において、波長変換部材は、導光部材から射出された励起光の光路上を横切るように移動可能に構成されており、波長変換部材の移動に伴って、波長変換部材上に形成される励起光照射領域が、波長変換部材の照射面上を移動する。【選択図】図１
2011113856.tif 000002
【特許請求の範囲】
【請求項１】
励起光を出射する励起光源と、
前記励起光源と光学的に接続され、前記励起光を導光する導光部材と、
前記導光部材から射出された前記励起光を受光し、それとは異なる波長領域の光に変換する波長変換部材と、を有する光源装置において、
前記波長変換部材は、前記導光部材から射出された前記励起光の光路上を横切るように移動可能に構成されており、
前記波長変換部材の移動に伴って、前記波長変換部材上に形成される励起光照射領域が、前記波長変換部材の照射面上を移動することを特徴とする光源装置。
【請求項２】
前記波長変換部材は、波長変換材が前記励起光照射領域に配置された円板形状を有する波長変換円板であり、
前記波長変換円板は、前記導光部材の中心軸と略直交する平面内を、前記波長変換円板の中心軸を回転軸として、回転可能に構成されており、
前記励起光源は、前記導光部材の前記励起光を射出する射出端に対する、前記波長変換部材の位置に応じて、前記励起光源の点灯時間を制御する励起光出力制御回路に接続されていることを特徴とする請求項１に記載の光源装置。
【請求項３】
前記励起光出力制御回路は、前記励起光源の点灯時間が一定となるように制御することを特徴とする請求項２に記載の光源装置。
【請求項４】
前記励起光出力制御回路は、前記励起光源の点灯時間がパルス状となるように制御することを特徴とする請求項２に記載の光源装置。
【請求項５】
前記励起光出力制御回路は、前記波長変換円板の回転速度に同期して前記励起光源の点灯時間を制御することを特徴とする請求項４に記載の光源装置。
【請求項６】
前記励起光出力制御回路は、前記波長変換円板の回転速度に非同期の状態で前記励起光源の点灯時間を制御することを特徴とする請求項４に記載の光源装置。
【請求項７】
前記励起光出力制御回路は、前記波長変換円板の回転周期と、前記励起光源の点灯時間の周期とが異なるように前記励起光源の点灯時間を制御することを特徴とする請求項４に記載の光源装置。
【発明の詳細な説明】
【技術分野】
【０００１】
本発明は、光源装置に関するものである。
【背景技術】
【０００２】
図１１は、従来の光源装置の構成を示す図である。図１１に示すように、特許文献１には、励起光５０１を射出する発光素子５１１を備えた励起光源５１０と、励起光源５１０の射出部５１２からの励起光５０１を波長変換部材５３０へ導光するライトガイド５２０と、励起光５０１を吸収し波長変換して所定の波長域の光を放出する波長変換部材５３０とから構成された光源装置が提案されている。波長変換部材５３０はライトガイド５２０の出力部５２１から射出される励起光を受光し、所望の照明光に変換し、出射するように構成されている。
【先行技術文献】
【特許文献】
【０００３】
【特許文献１】特開２００７−２２０３２６号公報
【発明の概要】
【発明が解決しようとする課題】
【０００４】
特許文献１の光源装置では、ライトガイド５２０の射出端と波長変換部材５３０とが接して接続されているため、ライトガイド５２０から射出された励起光は、波長変換部材５３０の、ライトガイド５２０と接した領域近傍のみに照射される。波長変換部材５３０は、励起光を受光し波長変換する過程に於いて、入射した励起光のエネルギーと出射した波長変換光のエネルギーとの差分のエネルギーを、熱として排出する。
【０００５】
特許文献１の光源装置では、ライトガイド５２０から射出された励起光が波長変換部材５３０上に形成する励起光照射領域の位置は変化しないために、この励起光照射領域に於いて局所的に発熱が起きる場合がある。波長変換部材５３０は発熱により、その波長変換効率が低下したり、出射する波長変換光の波長特性が変化したりするため、光源装置から出射される照明光が暗くなったり、色が変化するなどの問題が生じる可能性がある。
【０００６】
本発明はこの点に着目し、励起光源からの励起光が波長変換部材上に形成する励起光照射領域が、波長変換部材上を移動可能とすることで、波長変換部材の局所的な発熱を抑制した光源装置を提供することを目的とする。
【課題を解決するための手段】
【０００７】
上述した課題を解決し、目的を達成するために、本発明に係る光源装置は、励起光を出射する励起光源と、励起光源と光学的に接続され、励起光を導光する導光部材と、導光部材から射出された励起光を受光し、それとは異なる波長領域の光に変換する波長変換部材と、を有する光源装置において、波長変換部材は、導光部材から射出された励起光の光路上を横切るように移動可能に構成されており、波長変換部材の移動に伴って、波長変換部材上に形成される励起光照射領域が、波長変換部材の照射面上を移動することを特徴としている。
【０００８】
本発明に係る光源装置において、波長変換部材は、波長変換材が励起光照射領域に配置された円板形状を有する波長変換円板であり、波長変換円板は、導光部材の中心軸と略直交する平面内を、波長変換円板の中心軸を回転軸として、回転可能に構成されており、励起光源は、導光部材の励起光を射出する射出端に対する、波長変換部材の位置に応じて、励起光源の点灯時間を制御する励起光出力制御回路に接続されていることが好ましい。
【０００９】
本発明に係る光源装置において、励起光出力制御回路は、励起光源の点灯時間が一定となるように制御することが好ましい。
【００１０】
本発明に係る光源装置において、励起光出力制御回路は、励起光源の点灯時間がパルス状となるように制御することが好ましい。
【００１１】
本発明に係る光源装置において、励起光出力制御回路は、波長変換円板の回転速度に同期して励起光源の点灯時間を制御することが好ましい。
【００１２】
本発明に係る光源装置において、励起光出力制御回路は、波長変換円板の回転速度に非同期の状態で励起光源の点灯時間を制御することが好ましい。
【００１３】
本発明に係る光源装置において、励起光出力制御回路は、波長変換円板の回転周期と、励起光源の点灯時間の周期とが異なるように励起光源の点灯時間を制御することが好ましい。
【発明の効果】
【００１４】
本発明に係る光源装置は、励起光源からの励起光が波長変換部材上に形成する励起光照射領域が、波長変換部材上を移動可能とすることで、波長変換部材の局所的な発熱を抑制することができる、という効果を奏する。
【図面の簡単な説明】
【００１５】
【図１】本発明の第１実施形態に係る光源装置の構成を示すブロック図である。
【図２】本発明の第１実施形態に係る導光部材と波長変換円板の構成を示す断面図である。
【図３】本発明の第１実施形態に係る波長変換円板上の波長変換材の配置を示す正面図である。
【図４】本発明の第１実施形態に係る波長変換円板が回転している際に、波長変換材に照射される励起光のビームスポットの軌跡を示す正面図である。
【図５】励起光上の波長変換材の位置と励起光源の点灯タイミングとの関係を示すグラフである。
【図６】本発明の第２実施形態に係る波長変換円板が回転している際に、波長変換材に照射される励起光のビームスポットの軌跡を示す正面図である。
【図７】励起光上の波長変換材の位置と励起光源の点灯タイミングとの関係を示すグラフである。
【図８】本発明の第３実施形態に係る波長変換円板がｎ回転目の回転をしている際に、波長変換材に照射される励起光のビームスポットの軌跡を示す正面図である。
【図９】本発明の第３実施形態に係る波長変換円板がｎ＋１回転目の回転をしている際に、波長変換材に照射される励起光のビームスポットの軌跡を示す正面図である。
【図１０】励起光上の波長変換材の位置と励起光源の点灯タイミングとの関係を示すグラフである。
【図１１】従来の光源装置の構成を示す図である。
【発明を実施するための形態】
【００１６】
以下に、本発明に係る光源装置の実施形態を図面に基づいて詳細に説明する。なお、以下の実施形態によりこの発明が限定されるものではない。
【００１７】
（第１実施形態）
第１実施形態に係る光源装置は、１つの励起光源と１つの波長変換部材とを備え、波長変換部材の回転期間中に励起光源をＣＷ駆動（Ｃｏｎｔｉｎｕｏｕｓ  Ｗａｖｅ  Ｏｓｃｉｌｌａｔｉｏｎ）する。
【００１８】
（構成）
図１は、第１実施形態にかかる光源装置の構成を模式的に示すブロック図である。
図１に示すように、光源装置は、励起光源１１と、導光部材１２と、波長変換円板２０と、移動手段１３と、励起光出力制御回路１４と、を備える。
【００１９】
励起光源１１は励起光を発生し、励起光源１１に光学的に接続された導光部材１２は、励起光源１１からの励起光を導光する。
波長変換円板２０は、導光部材１２から出射される励起光を受光し、励起光とは異なる波長に変換する。波長変換円板２０には、励起光を受光する波長変換材２１が配置され、円板形状を備える。
【００２０】
移動手段１３は、導光部材１２から射出される励起光の光路上に波長変換円板２０上の波長変換材２１を機械的に移動可能とする。励起光出力制御回路１４は、励起光源１１からの出射光量を制御する。
【００２１】
励起光源１１は例えば半導体レーザーを用い、励起光出力制御回路１４の制御により、所定の駆動電流や点灯間隔により、励起光であるレーザー光を出射する。
【００２２】
導光部材１２は、励起光源１１から出射した励起光を効率良く導光する為に、光ファイバを用いる。光ファイバはコアとその外側のクラッドからなり、クラッドよりもコアの屈折率が高くなっているので、光を全反射しコアの部分で効率良く伝える構造となっている。コアとクラッドはガラスやプラスチックで作られる。図２に示すように、導光部材１２は保持部材１５内に配置される。ここで、図２は、導光部材１２と波長変換円板２０の構成を示す断面図である。
【００２３】
波長変換円板２０は、導光部材１２から射出された励起光１６（図２）を受光し、それとは異なる波長領域のスペクトルに変換する波長変換材２１を備えており、円板形状を有している。波長変換円板２０には、１種類の黄色（Ｙ）の波長変換材２１が、波長変換円板２０の回転軸２２の中心部を除いて全周方向にわたり配置されている。
【００２４】
波長変換材２１は、蛍光体粉末をシリコーンなどの樹脂に混合して固めたものを用いる。波長変換材２１に用いる蛍光体は、エネルギー準位において、外的要因より電子が基底状態から励起状態へ励起され、再び基底状態に戻るときに光と熱を発する材料である。
【００２５】
なお、波長変換材２１は、蛍光体粉末をシリコーン等の樹脂に混合して固めたものの他、単結晶や多結晶の蛍光体を透明化したものでも良いし、いわゆるナノ蛍光体を樹脂などの部材に封入して固化したものでも良い。さらに、ガラスなどに蛍光体中心となる元素を添加した蛍光ガラス等、一般に使用されている蛍光体であれば、どのようなものでも使用することが可能である。
【００２６】
また、波長変換材２１には、導光部材１２の光ファイバから射出された励起光の波長帯に対して、最も大きな強度に変換可能なように最適な蛍光材料を使用する。
【００２７】
光源装置の照明光として、波長変換材による黄色（Ｙ）成分のみの光を利用すること以外にも、例えば、励起光の青色成分と、波長変換材２１を通過後の黄色成分と、を組み合わせた白色光を、光源装置の照明光として利用しても良い。
【００２８】
また、１つの波長変換材において、複数色の蛍光体粉末材料をシリコーンなどの樹脂に混合することによって、波長変換材２１からの射出光が、単色よりも広帯域スペクトルを持つ可視光を照明光として利用しても良い。
【００２９】
図２に示すように、波長変換円板２０は、導光部材１２の光ファイバから射出される励起光１６の出射方向であって、励起光１６が照射される照射面２３が光ファイバの中心軸１２ａと略直交するように配置されている。また、波長変換円板２０及び波長変換材２１は、保持部材１５内に配置されたモータ２４により回転軸２２を中心として回転可能である。
【００３０】
波長変換円板２０と導光部材１２は、回転軸２２と中心軸１２ａとが互いに平行になるように配置されている。これにより、波長変換円板２０が回転すると、波長変換材２１は、導光部材１２から射出された励起光１６の光路上を横切るように移動し、導光部材１２の光ファイバから射出された励起光１６の照射領域であるビームスポットは、励起光１６が照射される照射面２３上を移動する。
【００３１】
波長変換円板２０は、モータ２４を駆動させて波長変換円板２０の回転軸２２を回転させることにより、図３の矢印に示す方向に回転する。これにより、励起光によるビームスポットの中心１７は、回転軸２２の中心軸を中心とする円を描く（図３の破線）。ここで、図３は、波長変換円板２０上の波長変換材２１の配置を示す正面図である。
【００３２】
移動手段１３は、波長変換円板２０の回転動作を実施するモータ２４と、それを制御する機能（制御系）と、モータ２４の制御系と同期して、波長変換円板２０の回転速度と波長変換円板２０に配置された波長変換材２１の回転位置を検出する機能と、を備えた駆動回路を有する(図示せず)。また、移動手段１３は、導光部材１２から射出される励起光の光路上に波長変換材２１を機械的に移動させる。
【００３３】
移動手段１３は、回転動作させる手段に限らず、波長変換材２１を直線的に１軸のみ可変させる手段でも良く、少なくとも導光部材１２の光ファイバの射出端１２ｂから波長変換材２１へ照射される励起光１６の照射領域が、移動手段１３により時間とともに移動していく手段であれば良い。
さらに、移動手段１３は、波長変換材２１の回転速度と回転位置情報を含んだ同期検出信号を、励起光出力制御回路１４に出力する機能を有している。
【００３４】
励起光出力制御回路１４は、移動手段１３から得た同期検出信号に基づき、励起光源１１へ点灯出力信号を出力して励起光源１１の出力光量を制御する機能を備えている。また、励起光出力制御回路１４は、励起光源１１への供給電源をＯＮ／ＯＦＦさせることにより点灯および消灯動作を切り換える機能と、励起光源１１の点灯または消灯期間の間隔を設定する機能と、励起光源１１の駆動電流量を点灯周期や点灯期間に対応して可変として、励起光源１１の励起光量を制御する機能と、を併せて備えている。
【００３５】
（動作）
次に、図４及び図５を参照して、第１実施形態にかかる光源装置における、波長変換円板２０に配置された波長変換材２１の回転位置関係と励起光源１１の点灯制御動作について説明する。
図４は、波長変換円板２０が回転している際に、波長変換材２１に照射される励起光１６のビームスポットの軌跡を示す正面図である。図５は、励起光１６上の波長変換材２１の位置（上段）と励起光源１１の点灯タイミング（下段の光源制御）との関係を示すグラフである。
【００３６】
既に説明したように、波長変換円板２０は、導光部材１２の光ファイバの射出端１２ｂからの励起光１６の光路上に、波長変換材２１を移動可能なように、一定の回転速度で回転する。そのため、波長変換円板２０が１回転する期間において、導光部材１２の光ファイバから射出された励起光１６のビームスポットは、黄色（Ｙ）の波長変換材２１上での照射場所を変えながら連続的に移動する。
【００３７】
励起光出力制御回路１４は、波長変換材２１の回転数や回転位置に応じて励起光源１１の点灯制御を行う。すなわち、まず、波長変換円板２０が１回転する期間（点灯時間ｔＹ１）中は、連続して励起光源１１の点灯動作を行い、次に波長変換円板２０が１回転する期間は連続して消灯動作を行う、という点灯時間の制御によって光源を制御する。すなわち、励起光出力制御回路１４は、励起光源１１の点灯時間が一定となるように制御する。これにより、波長変換材２１の発熱領域である励起光１６のビームスポットの軌跡は、消灯期間中に放熱され、高温になるのを防ぐことができる。
【００３８】
なお、波長変換円板２０の回転に伴い、励起光１６のビームスポットは波長変換円板２０上を移動するため、回転中の放熱により、発熱点の温度は徐々に低下する。従って、回転速度に対し放熱効率が良い場合には、連続回転中に継続点灯しても、局所的な発熱を低減することが可能である。
【００３９】
励起光源１１の点灯間隔は、波長変換円板２０の複数の回転期間において、連続点灯または連続消灯動作を繰り返す光源制御動作でも良く、波長変換円板２０が１回転する期間の途中で、点灯開始や点灯終了時期を任意に設定することができる。また、波長変換円板２０が連続回転する速度についても一定ではなく、波長変換材２１で発生する発熱量や照明光の出力タイミング等を考慮して任意に設定することができる。
【００４０】
励起光源１１の駆動電流は、上述の説明では波長変換材２１への照射期間中は一定の駆動電流として動作しているが、励起光源１１の駆動電流を特定の点灯区間毎に変更したり、一つの点灯期間中にも駆動電流を可変する設定にしても良い。
【００４１】
（効果）
上述のように、波長変換材２１は、導光部材１２の光ファイバから射出された励起光１６のビームスポットに対して時間的に移動する。これにより、励起光１６が波長変換材２１へ照射されて発生する色変換損失による発熱箇所も時間的に連続して移動していくため、波長変換材２１が局所的に高温となることがなく、発熱を抑えながら色変換スペクトルを用いた照明光の出射が可能となる。
【００４２】
また、回転速度が一定のときの波長変換円板２０においては、波長変換円板２０の半径が大きくなるほど、励起光１６が波長変換材２１へ照射される領域が、同一箇所に戻ってくるまでの時間が長くなる。したがって、再び励起光１６が波長変換材２１の同一箇所へ照射されるときの温度上昇をより低減することができる。
【００４３】
さらに、波長変換円板２０の回転速度が小さくなるほど、励起光１６が波長変換材２１へ照射される領域が、同一箇所に戻ってくるまでの時間が長くなる。このため、再び励起光１６が波長変換材２１の同一箇所へ照射されるときの温度上昇をより低減することができる。この結果、発熱による波長変換効率の低下や、出射する波長変換光の色の変化が小さな光源装置を実現できる。
【００４４】
（第２実施形態）
本発明の第２実施形態にかかる光源装置について、図６及び図７を参照しながら説明する。図６は、第２実施形態に係る波長変換円板が回転している際に、波長変換材に照射される励起光のビームスポットの軌跡を示す正面図である。図７は、励起光上の波長変換材の位置と励起光源の点灯タイミングとの関係を示すグラフである。
【００４５】
第２実施形態にかかる光源装置は、第１実施形態に係る光源装置と同様の構成を備え、励起光出力制御回路１４が、波長変換円板２０に配置された波長変換材２１へ励起光を照射する励起光源１１の動作が異なるように制御する点が第１実施形態にかかる光源装置と異なる。その他の構成は第１実施形態に係る光源装置と同様であって、同じ部材については同じ参照符号を使用する。
【００４６】
（動作）
第２実施形態の光源装置では、励起光源１１は、パルス発光動作によって波長変換材２１へ励起光を照射する。すなわち、励起光出力制御回路１４は、励起光源１１の点灯時間がパルス状（図７）となるように励起光源１１を制御する。また、励起光出力制御回路１４は、前記波長変換円板２０の回転速度に同期して励起光源１１の点灯時間を制御する。これにより、回転する波長変換材２１において、ビームスポットは励起光１６の照射領域と非照射領域を繰り返しながら移動することになるため、色変換損失による局所的な発熱箇所の発生は離散的になる。
【００４７】
励起光源１１のパルス発光の動作条件としては、１回転する波長変換材２１の励起光照射領域で所定の点灯間隔（ｔＹ２）と所定の消灯間隔（ｔＹ３）を繰り返す周期動作を実施する。よって、図６に示すように、波長変換材２１のビームスポットの中心１１７は、１回転する期間で照射される領域と照射されない領域を繰り返すような軌跡（図６の破線）を波長変換材２１上に描く。
【００４８】
ここで、励起光源１１のパルス発光動作を行う開始時期や終了時期については、波長変換材２１が回転している間で任意に設定可能である。
【００４９】
なお、第２実施形態の光源装置として、所定の点灯時間（ｔＹ２）と消灯時間（ｔＹ３）を繰り返す周期動作の例を示したが、必ずしも周期的である必要はない。波長変換円板の回転速度や、必要な明るさ、波長変換部材の温度特性などに応じて、点灯時間、消灯時間は適宜設定可能である。
【００５０】
（効果）
上述のように構成することで、１つの波長変換材２１が１回転する期間において、励起光源１１をパルス発光とすることで、波長変換材２１の色変換損失による局所的な発熱領域が離散的に順次移動して行く。このため、第１実施形態の光源装置と比較して、さらに励起光１６の照射による波長変換材２１での温度上昇による発熱を抑えることができる。この結果、発熱による波長変換効率の低下や、出射する波長変換光の色の変化がより小さな光源装置を実現できる。
なお、その他の作用、効果については、第１実施形態と同様である。
【００５１】
第２実施形態の光源装置では、波長変換円板２０の回転速度に同期して励起光源１１の点灯時間を制御していたが、本発明は、波長変換円板２０の回転速度に非同期の状態で励起光源１１の点灯時間を制御することもできる。
【００５２】
（第３実施形態）
本発明の第３実施形態の光源装置について、図８から図１０を参照しながら説明する。図８は、第３実施形態に係る波長変換円板２０がｎ回転目の回転をしている際に、波長変換材２１に照射される励起光１６のビームスポットの軌跡を示す正面図である。図９は、第３実施形態に係る波長変換円板２０がｎ＋１回転目の回転をしている際に、波長変換材２１に照射される励起光１６のビームスポットの軌跡を示す正面図である。図１０は、励起光１６の光路上の波長変換材２１の位置と励起光源１１の点灯タイミングとの関係を示すグラフである。
【００５３】
第３実施形態にかかる光源装置は、第１実施形態に係る光源装置と同様の構成を備え、励起光出力制御回路１４が、波長変換円板２０に配置された波長変換材２１へ励起光１６を照射する領域が、連続回転のときに、前の回転のときと、その次の回転のときにおいて、連続して重ならないように、励起光源１１の点灯周期を制御する点が第１実施形態にかかる光源装置と異なる。その他の構成は第１実施形態に係る光源装置と同様であって、同じ部材については同じ参照符号を使用する。
【００５４】
（動作）
第３実施形態の光源装置では、励起光源１１は、パルス発光動作によって波長変換材２１へ照射する。すなわち、励起光出力制御回路１４は、励起光源１１の点灯時間がパルス状（図１０）となるように励起光源１１を制御する。
【００５５】
図８に示すように波長変換円板２０がｎ回転目（ｎは自然数）のとき、励起光出力制御回路１４は、１回転する波長変換材２１に対して、点灯期間ｔＹ４である３回のパルス発光動作を行うように励起光源１１を制御する（図１０の左側）。この制御により、励起光によるビームスポットの中心は、回転軸２２の中心軸を中心とする円のうちの３つの所定範囲で移動し、これによって照射領域２１７を形成する。
【００５６】
さらに、図９に示すように波長変換円板２０がｎ＋１回転目のとき、励起光出力制御回路１４は、１回転する波長変換材２１に対して、ｎ回転目のときと同様に励起光源１１を点灯期間ｔＹ４である３回のパルス発光動作を行うとともに、ｎ回転目の照射領域２１７とは異なる照射領域２１８へ照射するために、励起光源１１の点灯期間をずらすように制御する（図１０の右側）。したがって、波長変換円板２０がｎ＋１回転目のとき、励起光によるビームスポットの中心は、回転軸２２の中心軸を中心とする円のうち、照射領域２１７に対応する範囲とは重ならない３つの所定範囲で移動し、これによって照射領域２１８を形成する。
【００５７】
従って、励起光出力制御回路１４は、波長変換円板２０の回転数が奇数と偶数の場合で、励起光１６が波長変換材２１へ照射する領域が連続して重ならないように、励起光出力制御回路１４が励起光源１１の制御を行う。別言すると、励起光出力制御回路１４は、波長変換円板２０の回転周期と、励起光源１１の点灯時間の周期とが異なるように励起光源１１の点灯時間を制御する。
【００５８】
また、図１０では連続する２回の波長変換円板２０の回転動作について、波長変換材２１上の２つの照射領域２１７、２１８が互いに重ならないように励起光源１１の点灯期間を制御したが、連続する３回以上の波長変換円板２０の回転動作についても、照射領域が重ならないように、さらに点灯期間を細かく短時間に分割して、励起光源１１を制御することで可能となる。
【００５９】
（効果）
上述のとおり、励起光１６が照射される波長変換材２１の全領域において、波長変換材２１への２つの照射領域２１７、２１８が、連続回転時に互いに重ならないように制御することにより、少なくとも波長変換材２１が１回転する期間は発熱しない期間をもつため、波長変換材２１の発熱を抑えることが出来る。
【００６０】
さらに、波長変換材２１への照射する領域も選択的に実施できるため、第１実施形態および第２実施形態の光源装置に比べて、連続回転する波長変換材２１における発熱箇所の偏りを低減させて、発熱を抑えることが出来る。
【００６１】
また、波長変換円板２０が１回転する期間に対して、波長変換材２１に照射される励起光の全点灯期間に変更はないため、光源装置の照明光としての明るさや色変動も抑えることが出来る。この結果、発熱による波長変換効率の低下や、出射する波長変換光の色の変化がより小さな光源装置を実現できる。
なお、その他の作用、効果については、第１実施形態と同様である。
【産業上の利用可能性】
【００６２】
以上のように、本発明に係る光源装置は、波長変換材の発熱による、波長変換効率の低下や出射光の波長特性の変化を抑えることが求められる光源装置に有用である。
【符号の説明】
【００６３】
１１    励起光源
１２    導光部材
１２ａ  中心軸
１２ｂ  射出端
１３    移動手段
１４    励起光出力制御回路
１５    保持部材
１６    励起光
１７、１１７  ビームスポットの中心
２０    波長変換円板
２１    波長変換材
２２    回転軸
２３    照射面
２４    モータ
２１７、２１８  照射領域
【図１】
2011113856.tif 000003
【図２】
2011113856.tif 000004
【図３】
2011113856.tif 000005
【図４】
2011113856.tif 000006
【図５】
2011113856.tif 000007
【図６】
2011113856.tif 000008
【図７】
2011113856.tif 000009
【図８】
2011113856.tif 000010
【図９】
2011113856.tif 000011
【図１０】
2011113856.tif 000012
【図１１】
2011113856.tif 000013